【手続補正書】
【提出日】平成30年4月13日(2018.4.13)
【手続補正１】
【補正対象書類名】特許請求の範囲
【補正対象項目名】全文
【補正方法】変更
【補正の内容】
【特許請求の範囲】
【請求項１】
装置によるワイヤレス通信の方法であって、
第1の1つまたは複数のデータパケットを含む第1のワイヤレス信号を使用するデバイス間通信を介して、1つまたは複数のベンダーによって提供された商品またはサービスを発見するステップと、
前記商品またはサービスに関係する1つまたは複数の要素のデータベースを維持するステップと、
第2の1つまたは複数のデータパケットを含む第2のワイヤレス信号を使用するデバイス間通信を介して、1つまたは複数のデバイスによる前記商品またはサービスへの関心を発見するステップと、
前記関心の発見および1つまたは複数のルールに少なくとも部分的に基づいて、前記商品またはサービスに関係する前記1つまたは複数の要素のうち少なくとも1つを共有することを判断するステップと、
前記判断に基づいて、第3の1つまたは複数のデータパケットを含む第3のワイヤレス信号を介して、前記１つまたは複数の要素のうち前記少なくとも1つを前記１つまたは複数の関心のあるデバイスと共有するステップと、
を含み、
前記ルールのうちの1つは、別の装置が前記商品またはサービスに関係する前記１つまたは複数の要素のうち前記少なくとも１つを前記１つまたは複数の関心のあるデバイスと既に共有していると想定されるとき、前記装置は前記商品またはサービスに関係する前記１つまたは複数の要素のうち前記少なくとも１つを共有しないことを規定する、
方法。
【請求項２】
関心を発見するステップが、前記データベース内の前記要素のうちの1つが、前記デバイスのうちの1つまたは複数によって通信されたエクスプレッション内に含まれた要素にマッチするか否かを決定するステップ、または、
を含む、請求項1に記載の方法。
【請求項３】
デバイスによって通信された前記マッチする要素を欠くエクスプレッションを受信した後、前記デバイスがもはや関心を有していないと判断するステップをさらに含む、請求項2に記載の方法。
【請求項４】
関心を発見するステップが、複数のデバイスが複数の商品またはサービスに関心があることを発見するステップを含み、
前記共有するステップが、前記第3のワイヤレス信号を介して、前記複数の商品またはサービスに対応する複数の要素をブロードキャストするステップ、または、
関心を発見するステップが、デバイスのグループによって共有された共通の属性に基づいており、
前記共有するステップが、前記第3のワイヤレス信号を介して、マルチキャスト送信を少なくとも1つの要素とともに前記デバイスのグループに送るステップを含む、請求項1に記載の方法。
【請求項５】
前記共有するステップが、前記第3のワイヤレス信号を介して、ユニキャスト送信を1つまたは複数の要素とともに単一のデバイスに送るステップを含む、請求項1に記載の方法。
【請求項６】
いくつのデバイスが前記１つまたは複数の要素のうち前記少なくとも1つに関連付けられた商品またはサービスに関心があるかに少なくとも部分的に基づいて、グループキャストメッセージングを介して前記１つまたは複数の要素のうち前記少なくとも1つを共有するべきか、ユニキャストメッセージングを介して前記１つまたは複数の要素のうち前記少なくとも1つを共有するべきかを決定するステップ、または、
前記１つまたは複数の要素のうち前記少なくとも1つを共有するより前に、チャネルアクセス手順を実行するステップをさらに含む、請求項1に記載の方法。
【請求項７】
前記チャネルアクセス手順が、前記１つまたは複数の要素のうち前記少なくとも1つを共有するより前に、媒体上でリッスンするステップを含む、請求項6に記載の方法。
【請求項８】
第4のワイヤレス信号を介して、前記共有するステップを有効化するネットワークシグナリングを受信するステップ、または、
前記商品またはサービスに関係する前記１つまたは複数の要素のうち少なくとも1つを共有するための報酬を受け取るステップ
を含む、請求項1に記載の方法。
【請求項９】
デバイスが、前記共有された要素に基づいて、前記ベンダーにおいて取引を完了するとき、前記報酬が受け取られるか、または、
前記報酬が、前記ベンダーにおいて引換え可能なクレジットを含む、請求項8に記載の方法。
【請求項１０】
装置によるワイヤレス通信の方法であって、
第1の1つまたは複数のデータパケットを含む第1のワイヤレス信号を介して、エンティティによって提供された商品またはサービスのうちの少なくとも1つに関する発見情報を含む1つまたは複数のフィールドを有する発見フレームを受信するステップと、
第2の1つまたは複数のデータパケットを含む第2のワイヤレス信号を介して、1つまたは複数のルールに基づいて、前記発見情報の少なくとも一部分を含む1つまたは複数のフィールドを有するリレーフレームを送信するステップであって、前記ルールのうちの1つは、別の装置が前記発見情報の少なくとも前記部分を含むリレーフレームを前記１つまたは複数の関心のあるデバイスで送信した場合、前記装置が前記リレーフレームを送信しないことになることを規定する、ステップと
を含む方法。
【請求項１１】
前記1つまたは複数のルールが、前記装置が前記発見フレームをリレーするための許可を有する場合のみ、前記装置が前記リレーフレームを送信することができることを規定するルールを含むか、または、
前記発見フレームの前記1つまたは複数のフィールドが、前記装置が前記発見フレームをリレーするための許可を有するか否かを示す少なくとも1つのフィールドを含むか、または、
前記装置が、第3の1つまたは複数のデータパケットを含む第3のワイヤレス信号を介して、別の装置が前記発見情報の前記部分に関心があることを検出することに応答して、前記リレーフレームを送信し、
前記ルールのうちの1つが、前記別の装置がもはや前記発見情報の少なくとも前記部分に関心がないと決定することに応答して、前記装置が前記リレーフレームを送信することを停止することになることを規定する、請求項10に記載の方法。
【請求項１２】
前記リレーフレームが、前記装置がそれらへの接続性を提供する1つまたは複数のアクセスポイント名(APN)のリストを示す1つまたは複数のフィールドのうち1つ、または、
前記発見フレームの1つまたは複数のフィールドを改変することによって生成された1つまたは複数のフィールド、または、
直接的に、または別のエンティティの支援を受けて、前記リレーフレームを受信するエンティティによって前記リレーフレームを検証する際に使用するためのメッセージ完全性チェック(MIC)値を含む、請求項10に記載の方法。
【請求項１３】
第3の1つまたは複数のデータパケットを含む第3のワイヤレス信号を介して、1つまたは複数の商品またはサービスに関する情報についてのクエリを送るステップと、
前記クエリに応答して、前記発見フレームを受信するステップと
をさらに含む、請求項10に記載の方法。
【請求項１４】
ワイヤレス通信のための装置であって、
第1の1つまたは複数のデータパケットを含む第1のワイヤレス信号を使用するデバイス間通信を介して、1つまたは複数のベンダーによって提供された商品またはサービスを発見するための手段と、
前記商品またはサービスに関係する1つまたは複数の要素のデータベースを維持するための手段と、
第2の1つまたは複数のデータパケットを含む第2のワイヤレス信号を使用するデバイス間通信を介して、1つまたは複数のデバイスによる前記商品またはサービスへの関心を発見するための手段と、
前記関心の発見および1つまたは複数のルールに少なくとも部分的に基づいて、前記商品またはサービスに関係する前記1つまたは複数の要素のうち少なくとも1つを共有することを判断するための手段と、
前記判断に基づいて、第3の1つまたは複数のデータパケットを含む第3のワイヤレス信号を介して、前記１つまたは複数の要素のうち前記少なくとも1つを前記１つまたは複数の関心のあるデバイスと共有するための手段と
を備え、
前記ルールのうちの1つは、別の装置が前記商品またはサービスに関係する前記１つまたは複数の要素のうち前記少なくとも１つを前記１つまたは複数の関心のあるデバイスと既に共有していると想定されるとき、前記装置は前記商品またはサービスに関係する前記１つまたは複数の要素のうち前記少なくとも１つを共有しないことを規定する、
装置。
【請求項１５】
ワイヤレス通信のための装置であって、
第1の1つまたは複数のデータパケットを含む第1のワイヤレス信号を介して、エンティティによって提供された商品またはサービスのうちの少なくとも1つに関する発見情報を含む1つまたは複数のフィールドを有する発見フレームを受信するための手段と、
第2の1つまたは複数のデータパケットを含む第2のワイヤレス信号を介して、1つまたは複数のルールに基づいて、前記発見情報の少なくとも一部分を含む1つまたは複数のフィールドを有するリレーフレームを送信するための手段であって、前記ルールのうちの1つは、別の装置が前記発見情報の少なくとも前記部分を含むリレーフレームを前記１つまたは複数の関心のあるデバイスで送信した場合、前記装置が前記リレーフレームを送信しないことになることを規定する、手段と
を備える装置。